(57)【特許請求の範囲】
【請求項１】
全長に亘りほぼ同一外径の筒形に形成した、キャップ付き容器１と、該容器外周面に巻装させた、封緘用兼装飾等表示用シート11とを、具備し、
上記キャップ付き容器１を、容器体２と該容器体に嵌合させたキャップ６とで形成するとともに、このキャップ６の天板７周縁から垂下させた周壁８下端を囲成する装飾等表示用シート部分を、第1破断帯14に形成し、
該第1破断帯上方及び下方の各装飾等表示用シート部分16,17の少なくとも一部内面を、それぞれ上記キャップ付き容器１外周面への貼着面12とすることで、
第１破断体除去後に、第１破断帯上方装飾等表示用シート部分16がキャップ６に、また第１破断帯下方装飾等表示用シート部分17が容器体２にそれぞれ固着した状態で残るようにしたことを特徴とする、装飾等表示用シート巻装容器。
【請求項２】
円錐台乃至角錐台形状に形成した、キャップ付き容器１と、該容器外周面に巻装させた、封緘用兼装飾等表示用シート11とを、具備し、
上記キャップ付き容器１を、容器体２と該容器体に嵌合させたキャップ６とで形成するとともに、このキャップ６の天板７周縁から垂下させた周壁８下端を囲成する装飾等表示用シート部分を、第1破断帯14に形成し、
該第1破断帯上方及び下方の各装飾等表示用シート部分16,17の少なくとも一部内面を、それぞれ上記キャップ付き容器１外周面への貼着面12とすることで、
第１破断体除去後に、第１破断帯上方装飾等表示用シート部分16がキャップ６に、また第１破断帯下方装飾等表示用シート部分17が容器体２にそれぞれ固着した状態で残るようにしたことを特徴とする、装飾等表示用シート巻装容器。
【請求項３】
上記容器体２は、胴部３下端部を棒状内容物繰出し用の回動自在な操作筒４に形成しており、
かつ、上記装飾等表示用シート11は、上記操作筒４上端部を囲む装飾等表示用シート部分を第２破断帯15とすると共に、
該第２破断帯下方の装飾等表示用シート部分17bの内面、及び、第1、第2破断帯間の装飾等表示用シート部分17aの内面を、それぞれ上記キャップ付き容器１外周面への貼着面12とすることで、
第２破断帯除去後に、該第２破断帯下方の装飾等表示用シート部分17ｂが操作筒４に、また第１、第２破断帯間の装飾等表示用シート部分17ａが、操作筒を除く容器体胴部分にそれぞれ残されるようにしたことを特徴とする、請求項１乃至請求項２記載の装飾等表示用シート巻装容器。
【請求項４】
上記キャップ付き容器１外周面に巻装させた装飾等表示用シート11の一方端部から、破断線13を介してラベル用基板21を外方突出したことを特徴とする、請求項１乃至請求項３記載の装飾等表示用シート巻装容器。
【発明の詳細な説明】
【０００１】
【発明の利用分野】
本発明は、装飾等表示用シート巻装容器、特にキャップと容器体とが同径であってその外面へ封緘用兼装飾等表示用シートを巻装した容器に関する。
【０００２】
【従来の技術】
従来、筒形のキャップ付き容器の胴部外周面に、商品の名称や装飾を印刷した装飾等表示用シートを巻装したものが知られている。
【０００３】
【発明の解決しようとする課題】
上記装飾等表示用シートを用いて容器を装飾することには、合成樹脂製の容器体表面を印刷する場合に比べて印刷工程が簡単であるという利点があるが、容器の種類によっては一枚のシートで装飾できる範囲が限られるという不利がある。即ち、キャップ付き容器では、キャップを着脱する必要上、シートの巻装範囲は容器胴部外面に限定され、又、胴部下端部を、棒状内容物（スティック状のリップクリームなど）を繰出すための回動自在な操作筒に形成した容器では、シートの巻装範囲は更に上記下端部を除く胴部分外面に限定されることとなる。この場合、上記シートで覆われていないキャップ周壁外面及び容器体胴部下端部が原材料の地色そのままに全く無装飾であるとすれば体裁が悪い。
【０００４】
又、近年増加している商品の不正開封行為への対策として上記装飾等表示用シートに商品封緘機能を持たせたいという要請も強い。
【０００５】
本発明は、キャップ付き容器の装飾及び封緘をより簡易かつ効果的に行うため、全長に亘りほぼ同一外径の筒形に形成した、キャップ付き容器外周面に、封緘用兼装飾等表示用シートを巻装させ、上記キャップの天板周縁から垂下させた周壁下端を囲成する装飾等表示用シート部分を、第1破断帯に形成すると共に、該第1破断帯上方及び下方の各装飾等表示用シート部分の少なくとも一部内面を、それぞれ上記キャップ付き容器外周面への貼着面とし、装飾等表示用シート巻装容器を提供することを目的とする。
【０００６】
【課題を解決するための手段】
第1の手段として、全長に亘りほぼ同一外径の筒形に形成した、キャップ付き容器１と、該容器外周面に巻装させた、封緘用兼装飾等表示用シート11とを、具備し、上記キャップ付き容器１を、容器体２と該容器体に嵌合させたキャップ６とで形成するとともに、このキャップ６の天板７周縁から垂下させた周壁８下端を囲成する装飾等表示用シート部分を、第1破断帯14に形成し、該第1破断帯上方及び下方の各装飾等表示用シート部分16,17の少なくとも一部内面を、それぞれ上記キャップ付き容器１外周面への貼着面12とすることで、第１破断体除去後に、第１破断帯上方装飾等表示用シート部分16がキャップ６に、また第１破断帯下方装飾等表示用シート部分17が容器体２にそれぞれ固着した状態で残るようにした。
【０００７】
第２の手段として、円錐台乃至角錐台形状に形成した、キャップ付き容器１と、該容器外周面に巻装させた、封緘用兼装飾等表示用シート11とを、具備し、上記キャップ付き容器１を、容器体２と該容器体に嵌合させたキャップ６とで形成するとともに、このキャップ６の天板７周縁から垂下させた周壁８下端を囲成する装飾等表示用シート部分を、第1破断帯14に形成し、該第1破断帯上方及び下方の各装飾等表示用シート部分16,17の少なくとも一部内面を、それぞれ上記キャップ付き容器１外周面への貼着面12とすることで、第１破断体除去後に、第１破断帯上方装飾等表示用シート部分16がキャップ６に、また第１破断帯下方装飾等表示用シート部分17が容器体２にそれぞれ固着した状態で残るようにした。
【０００８】
第３の手段として、第１の手段又は第２の手段を有し、さらに上記容器体２は、胴部３下端部を棒状内容物繰出し用の回動自在な操作筒４に形成しており、
かつ、上記装飾等表示用シート11は、上記操作筒４上端部を囲む装飾等表示用シート部分を第２破断帯15とすると共に、
該第２破断帯下方の装飾等表示用シート部分17bの内面、及び、第1、第2破断帯間の装飾等表示用シート部分17aの内面を、それぞれ上記キャップ付き容器１外周面への貼着面12とすることで、
第２破断帯除去後に、該第２破断帯下方の装飾等表示用シート部分17ｂが操作筒４に、また第１、第２破断帯間の装飾等表示用シート部分17ａが、操作筒を除く容器体胴部分にそれぞれ残されるようにした。
【０００９】
第４の手段として、上記第1の手段、第2の手段、又は第３の手段を有し、かつ、上記キャップ付き容器１外周面に巻装させた装飾等表示用シート11の一方端部から、破断線13を介してラベル用基板21を外方突出した。
【００１０】
【発明を実施するための形態】
図１から図４は、本発明の第1実施形態を示している。
【００１１】
本発明に係る装飾等表示用シート巻装容器は、キャップ付き容器と、該容器外周面に巻装させた封緘用兼装飾等表示用シートとで構成されている。
【００１２】
キャップ付き容器１は、図４に示す如く筒軸方向全長に亘りほぼ同一外径の筒形状のものである。該容器は、容器体２の胴部３上端部を小外径部として、該小外径部外面へ、キャップ６の天板７周縁から垂下した周壁８を嵌合させた構成とすることができる。
【００１３】
図示の容器は、周知の如く上記胴部３下部を棒状内容物(図示せず)の繰出し用の回転自在な操作筒４として形成している。しかし、該操作筒４を具備していない様々な種類の容器、例えば容器上部を覆うキャップカバーを有するスプレー式容器、ジャー容器、液状物収納用ボトルを上記キャップ付き容器としても良い。
【００１４】
装飾等表示用シート11は、上記キャップ付き容器１外周面に対して、裏面Ｂに形成する糊面などの貼着面12を接着させて巻き付けることで、キャップ付き容器１に巻装されている。本明細書において「装飾等」とは、装飾の他、商品の名称、商品の説明、製造者の表示など印刷可能な各種の情報をいう。上記装飾等表示用シートは、紙、合成樹脂などの可撓性材料で形成することができる。尚、図示の例では、キャップ付き容器１の筒軸と平行な、装飾等表示用シート11の一端から破断線13を介して吊下げ用タグを兼ねたラベル用基板21を外方突設しているが、該基板は必ずしも設けなくとも良い。
【００１５】
上記装飾等表示用シート11は、上記キャップ周壁８下端を囲成する部分を第1破断帯14に、かつ、上記操作筒４上端を囲成する部分を第2破断帯15にそれぞれ形成している。これら両破断帯は、図４に示す如く、上記キャップ付き容器１の筒軸に平行な両側部の間を横断することで、上記装飾等表示用シート11を、第1破断帯14上方（乃至図左方）の装飾等表示用シート部分16、第1、第2破断帯14,15間の装飾等表示用シート部分17a、及び第2破断帯15下方（乃至図右方）の装飾等表示用シート部分17bに区分している。又、これら各装飾等表示用シート部分の内面はそれぞれ上記貼着面に形成されている。又、上記第1、第2破断帯14,15の長手方向一端部（図示例では破断線13と反対側の端部）からは摘み片18,19が外方突設されている。尚、上記キャップ付き容器胴部３の下部を操作筒４に形成しない場合には、上記第2破断帯15を形成せずに上記第1破断帯下方の装飾等表示用シート部分17を連続して形成すればよい。ここで、上記装飾等表示用シート11の図左右方向長さは、キャップ付き容器１の筒軸方向長さと等長とすると良く、又、装飾等表示用シート11の図上下巾は、上記キャップ付き容器１の外周面の長さとほぼ等長とすると良い。
【００１６】
上記装飾等表示用シートの表面Ａには、装飾或いは商品の表示等を印刷することが特に望ましい。該印刷を容易とするため、装飾等表示用シート11は、図４の如く上記第1、第2破断帯14,15を縦設した長方形状の平らなシートの一面に予め上記印刷を施したものとして成形するとよい。このときには、上記図４に実線矢印で示すように、平らな状態の装飾等表示用シートの側方端部裏面B部分へ上記キャップ付き容器１の外周面側部に貼着させると共に、同図に白矢印で示す如く該容器を、上記装飾等表示用シート11他方端部側へ回動させることで該シートを巻き込み、巻装することができる。
【００１７】
ラベル用基板21は、商品の名称や価格、使用説明などの表示板と商品吊下げ用タグとを兼用したものであり、係止孔22を有している。
【００１８】
上記構成において、図１及び図２の状態では、装飾等表示用シート11は、第1破断帯上方及び下方の各シート部分16,17をそれぞれキャップ周壁８外面及び容器体胴部３外面へそれぞれ貼着させることで容器の封緘状態を保持している。
【００１９】
図１の状態から、キャップ付き容器１及びラベル用基板21をそれぞれ把持して、該基板をキャップ付き容器１に対して矢示の如く側外方へ引っ張ると、上記破断線13が切れて、ラベル用基板21を除去することができる。
【００２０】
次に図２に示す如く、第1破断帯14の摘み片18を側外方へ引っ張ると、図３に示す如く第1破断帯上方及び下方の各装飾等表示用シート部分16,17が分離し、又、第2破断帯15の摘み片19を側外方へ引っ張ると、更に第1、第2破断帯間の装飾等表示用シート部分17aと第2破断帯下方の装飾等表示用シート部分17bとが分離する。この分離状態で、上記第1破断帯上方の装飾等表示用シート部分16はキャップ周壁８外面へ、又、第1、第2破断帯間の装飾等表示用シート部分17aは操作筒を除く容器体胴部３分外面へ、更に第2破断帯下方の装飾等表示用シート部分17bは操作筒４外面へそれぞれ固着されたままであり、上記破断帯14,15除去後の使用状態においても容器外面の装飾などの機能を維持している。
【００２１】
上記分離状態で、上記第1破断帯上方の装飾等表示用シート部分16を介してキャップ６を摘持して容器体２に対して上方へ引っ張ると、上記キャップ６を容器体２から外すことができる。又、第2破断帯下方の装飾等表示用シート部分17bを介して操作筒４を摘持し、容器体２に対して所定の向きに回動させると、棒状の内容物を容器体胴部３上端開口から外方へ繰出すことができる。
【００２２】
上記操作筒４を反対向きに回動させ、かつ、キャップ６を容器体胴部３上端部へ嵌合させると、容器１は図３に示す状態に戻り、この状態で保管することができる。
【００２３】
図５は、本願の第2実施形態を示している。該形態は、第1実施形態における外径同一のキャップ付き容器１を、円錐台乃至角錐台形状（或いは横断面円形乃至多角形のテーパ筒形状）に形成したものである。その他第1実施形態と同じ構成については同一符号を付することで説明を省略する。
【００２４】
上記キャップ付き容器１は、図示の通り、キャップ周壁８と容器体胴部３とを、それら周壁下端及び胴部上端の各外径が一致する円錐台乃至角錐台形状に形成したものである。
【００２５】
上記キャップ付き容器に巻装する包装等表示用シート11は、図示の如く上記容器外周面を展開した形状とすればよく、図示例の如く、上記容器１の横断面が円形である場合には、上記包装等表示用シートの形状は扇形となる。このとき、第1破断帯14は、上記扇形が有する２個の円弧に対応させて、これら円弧と同一の曲率中心を有する２つの弧状破断線の間に形成する。又、図示していないが既述第２破断帯を形成する場合にも第１破断帯と同様に形成する。
【００２６】
又、上記容器１の横断面が多角形である場合には、上記包装等表示用シート11の形状は、その角数に応じた個数の台形の隣接辺(底辺及び頂辺を除く辺)相互を接合した形状とする。
【００２７】
【発明の効果】
本発明は上記構成のものであり、請求項１及び請求項２の発明は次の効果を奏する。
○本願容器は、キャップ付き容器１外面に装飾等表示用シート11を巻装させたから、キャップ付き容器外面に代えて平面状態の装飾等表示用シート11の表面に装飾などを印刷をすることができ、印刷コストを軽減することができる。
○上記装飾等表示用シート11は、キャップ周壁８下端を囲むシート部分を第1破断帯14としたから、容器体へのキャップの着脱を可能としつつキャップ付き容器全体を包装することができ、該包装により装飾などを印刷可能な範囲が拡大するので、装飾効果をより高めることができる。
○上記装飾等表示用シート11は、該シート全体をキャップ付き容器１外面へ貼着させたから、第1破断帯14を剥離しない限りキャップ６を外すことができず、よって上記キャップ付き容器１を封緘して不正開封の防止を確実に行うことができる。
【００２８】
請求項３の発明によれば、上記操作筒４上端部を囲む装飾等表示用シート部分を第2破断帯15としたから、該第2破断帯を除去することで、上記操作筒４の回動操作により棒状内容物を繰出すタイプの容器を、本発明に係る包装用ケースを装着した状態で使用することができる。
【００２９】
請求項４の発明によれば、次の効果を奏する。
○上記装飾等表示用シート11の一方端部より、破断線13を介してラベル用基板21を外方突出したから、該基板に吊下げタグなどの機能を兼用させることで容器の店頭陳列を容易とすることができる。
○上記破断線13を破断させるときには、筒形のキャップ付き容器１を握持して固定した状態でラベル用基板21を引っ張ればよく、これら基板及びキャップ付き容器１を持つ手が滑る虞が少なく、ラベル用基板を容器から容易に除去することができる。
【図面の簡単な説明】
【図１】  本発明第1実施形態に係る容器の斜視図である。
【図２】  図１容器からラベル用基板を除去した状態の斜視図である。
【図３】  図１容器を開封した後の使用状態説明図である。
【図４】  図１容器を組み立てる工程についての説明図である。
【図５】  本発明第2実施形態に係る容器を、容器体及び包装等表示用シートに分解した状態を示す斜視図である。
【符号の説明】
Ａ…装飾等表示用シート表面  Ｂ…装飾等表示用シート裏面
１…キャップ付き容器  ２…容器体  ３…胴部  ４…操作筒
６…キャップ  ７…天板    ８…周壁
11…装飾等表示用シート  12…貼着面  13…破断線  14…第1破断帯
15…第2破断帯  16…第1破断帯上方装飾等表示用シート部分
17…第1破断帯下方装飾等表示用シート部分
17a…第1、第2破断帯間装飾等表示用シート部分
17b…第2破断帯下方装飾等表示用シート部分  18、19…摘み片
21…ラベル用基板  22…係止孔
【図１】
0004060057.tif 000002
【図２】
0004060057.tif 000003
【図３】
0004060057.tif 000004
【図４】
0004060057.tif 000005
【図５】
0004060057.tif 000006